(57)【要約】【課題】  別途組み込むことなく踏み台を実現し、引き出すという操作を解消する。【解決手段】  引き出し（１）を備え、引き出しの前板（２）が、その上端部に設けられた回動軸（３）を中心として上下方向に回動可能とされており、引き出しの前板は、上方に回動して水平に保持され、踏み板として使用可能とされている。【選択図】図１
2005334227.tif 000002
【特許請求の範囲】
【請求項１】
引き出しを備えたキャビネットであり、引き出しの前板が、その上端部に設けられた回動軸を中心として上下方向に回動可能とされており、引き出しの前板は、上方に回動して水平に保持され、踏み板として使用可能とされていることを特徴とするキャビネット。
【請求項２】
引き出しの前板に一端部が接続された第１のリンクと引き出し本体の前端部に一端部が接続された第２のリンクが、それぞれの他端部において回動可能に連結され、第２のリンクの一端部側が引き出し本体の前端部に設けられた当てに下方より接触し、第１のリンクと第２のリンクの連結部が引き出しの前板の回動軸に近づき、第１のリンクと第２のリンクが逆くの字型に配置されて、引き出しの前板が水平に保持される請求項１記載のキャビネット。
【発明の詳細な説明】
【技術分野】
【０００１】
この出願の発明は、キャビネットに関するものである。さらに詳しくは、この出願の発明は、引き出しの前板を踏み板として使用可能にしたキャビネットに関するものである。
【背景技術】
【０００２】
家具の幅木部分に引き出し状の踏み台を出し入れ自在に収納した家具装置が知られている（たとえば、特許文献１参照）。
【特許文献１】実開昭５７−１９４３３５号公報
【発明の開示】
【発明が解決しようとする課題】
【０００３】
しかしながら、上記特許文献に記載されている家具装置は、踏み台として使用する場合、キャビネット等の家具類の本体に組み込む必要があり、また、引き出すという操作を必要としている。
【０００４】
この出願の発明は、別途組み込むことなく踏み台を実現し、引き出すという操作を解消することのできるキャビネットを提供することを解決すべき課題としている。
【課題を解決するための手段】
【０００５】
この出願の発明は、上記の課題を解決するものとして、第１には、引き出しを備えたキャビネットであり、引き出しの前板が、その上端部に設けられた回動軸を中心として上下方向に回動可能とされており、引き出しの前板は、上方に回動して水平に保持され、踏み板として使用可能とされていることを特徴とするキャビネットを提供する。
【０００６】
この出願の発明は、第２には、上記第１のキャビネットにおいて、引き出しの前板に一端部が接続された第１のリンクと引き出し本体の前端部に一端部が接続された第２のリンクが、それぞれの他端部において回動可能に連結され、第２のリンクの一端部側が引き出し本体の前端部に設けられた当てに下方より接触し、第１のリンクと第２のリンクの連結部が引き出しの前板の回動軸に近づき、第１のリンクと第２のリンクが逆くの字型に配置されて、引き出しの前板が水平に保持されるキャビネットを提供する。
【発明の効果】
【０００７】
この出願の発明の第１のキャビネットによれば、引き出しの前板を踏み板として使用することができ、踏み台を別途設ける必要なく、キャビネットの踏み台を実現することができる。踏み板とするには、引き出しの前板を上方に回動させ、水平に保持させるだけでよく、操作性に優れる。
【０００８】
この出願の発明の第２のキャビネットによれば、上記第１のキャビネットの効果に加え、引き出しの前板の水平保持とその解除が容易となる。
【発明を実施するための最良の形態】
【０００９】
以下、図面に沿ってこの出願の発明のキャビネットについてさらに詳しく説明する。
【００１０】
図１は、この出願の発明のキャビネットを示した概略図である。
【００１１】
図１に概略を示したように、この出願の発明のキャビネットは、引き出し（１）を備えたキャビネットであり、引き出し（１）では、前板（２）が、その上端部に設けられた回動軸（３）を中心として上下方向に回動可能とされている。そして、この前板（２）は、上方に回動させた時、水平に保持されるようになっている。
【００１２】
したがって、この出願の発明のキャビネットでは、引き出し（１）の前板（２）が踏み板として使用可能とされ、図１に示したように、水平に保持された前板（２）の上に人が乗ることができる。踏み台は、水平に保持された引き出し（１）の前板（２）により実現され、前述の家具装置のように踏み台を別途組み込む必要はない。また、引き出し（１）の前板（２）を踏み板とするための操作は、引き出し（１）の前板（２）を回動軸（３）を中心として上方に回動させ、水平に保持させるだけでよく、前述の家具装置のように引き出すという操作は必要ない。この出願の発明のキャビネットでは、引き出し（１）を引き出さずに前板（２）の回動操作により踏み台を実現することができる。この点において、この出願の発明のキャビネットは、前述の家具装置に比べ、操作性に優れている。
【００１３】
なお、この出願の発明のキャビネットは、台所や洗面化粧台用のキャビネットなどを対象とすることができる。
【００１４】
また、引き出し（１）の前板（２）を水平に保持させるための機構としては、種々のものを採用することができ、一例としてリンク機構が例示される。
【００１５】
たとえば、リンク機構は、図１に示したように、引き出し（１）の前板（２）に接続される第１のリンク（４）と引き出し（１）の本体に接続される第２のリンク（５）により構成することができる。具体的には、第１のリンク（４）の一端部を引き出し（１）の前板（２）に接続し、第２のリンク（５）の一端部を引き出し（１）の本体に接続し、それぞれの他端部において第１のリンク（４）と第２のリンク（５）を回動可能に連結する。このようなリンク機構による引き出し（１）の前板（２）の水平保持は、次のようにして実現される。
【００１６】
引き出し（１）の本体上端部に当て（６）をあらかじめ設けておく。引き出し（１）の前板（２）を上方に回動させると、第２のリンク（５）が前板（２）の回動に追随して上方に回動する。第２のリンク（５）は、やがて、引き出し（１）の本体に接続された一端部側が下方より当て（６）に接触する。この時、第１のリンク（４）と第２のリンク（５）の連結部（７）は引き出し（１）の回動軸（３）に近づき、第１のリンク（４）と第２のリンク（５）は逆くの字型に配置される。この状態においては、リンク機構はロックされ、引き出し（１）の前板（２）の上に人が乗り、荷重が下方に加わっても、前板（２）は下方に回動することはない。前板（２）は、図１に示したとおり、水平な状態に安定に保持される。
【００１７】
踏み板としての使用が終わった後、引き出し（１）の前板（２）を元の位置に戻す際には、以上のリンク機構では、図２に示したように、連結部（７）が前板（２）の回動軸（３）に近づき、第１のリンク（４）と第２のリンク（５）が逆くの字型に配置されている状態から（図２＜ａ＞）、前板（２）を少し上方に回動させ、第１のリンク（４）と第２のリンク（５）の連結部（７）を前板（２）の回動軸（３）から遠ざかるように移動させ、第１のリンク（４）と第２のリンク（５）を一直線上に配置させる（図２＜ｂ＞）。この時、リンク機構のロックが解除される。次いで、前板（２）を下方に回動させて水平に戻し、第１のリンク（４）と第２のリンク（５）の連結部（７）を前板（２）の回動軸（３）から遠ざけ、第１のリンク（４）と第２のリンク（５）をくの字型に配置させる（図２＜ｃ＞）。この状態では、前板（２）は自重によっても下方に回動可能となり、連結部（７）における第１のリンク（４）と第２のリンク（５）のなす角度は小さくなって（図２＜ｄ＞）、前板（２）は、元の位置に戻り、引き出し（１）の前面に配置される（図２＜ｅ＞）。
【００１８】
以上から明らかなように、上記のリンク機構では、引き出しの前板の水平保持とその解除が容易となっている。
【００１９】
もちろん、この出願の発明は、以上の実施形態によって限定されるものではない。キャビネットおよび引き出しの構造、また、引き出しの前板を水平に保持させる機構等の細部については様々な態様が可能であることはいうまでもない。
【図面の簡単な説明】
【００２０】
【図１】この出願の発明のキャビネットを示した概要図である。
【図２】＜ａ＞＜ｂ＞＜ｃ＞＜ｄ＞＜ｅ＞は、それぞれ、一例としてのリンク機構のロック解除と引き出しの前板が元の位置に戻るまでの工程を示した工程図である。
【符号の説明】
【００２１】
１    引き出し
２    前板
３    回動軸
４    第１のリンク
５    第２のリンク
６    当て
７    連結部
【図１】
2005334227.tif 000003
【図２】
2005334227.tif 000004